(57)【要約】      （修正有）【課題】ブリスタ容器は、予め商品を購入しようとする買い物客にとっては便利ではあるが、単に陳列した商品の前を通るだけの買い物客に対しては強い印象を与えることがなく、購買意欲をそそるという観点に乏しい。陳列した商品の携帯ストラップに対して強い印象を与えることができる包装容器の提供。【解決手段】透明樹脂製の容器本体２と、ストラップ本体５の下端に吊り下げ体６を取り付け、容器本体２内に揺動自在に吊り下げた携帯ストラップ４と、容器本体２の正面から見て左右方向に、吊り下げ体５を揺動案内するガイド板７と、を有する。【選択図】図１
2013193762.tif 000002
【特許請求の範囲】
【請求項１】
容器本体と、前記容器本体内に収容する商品を揺動自在に吊り下げるための吊り下げ部と、前記容器本体の正面から見て左右方向に前記商品を揺動案内するガイド手段と、を有し、少なくとも前記容器本体の正面から容器本体内に収容する前記商品を透視可能とする包装用容器。
【請求項２】
前記容器本体内に配置した板部材の上部に前記吊り下げ部を設けたことを特徴とする請求項１に記載の包装用容器。
【請求項３】
前記容器本体の上部に、容器本体を吊り下げるための外フックを設けたことを特徴とする請求項１または２に記載の包装用容器。
【請求項４】
請求項１から３のいずれかに記載の包装用容器と、前記包装用容器の吊り下げ部を介して吊り下げられる商品とを有することを特徴とする包装容器。
【請求項５】
前記ガイド手段は、前記吊り下げ体に取り付けたことを特徴とする請求項４に記載の包装容器。
【請求項６】
前記商品は、吊り下げ手段であるストラップ本体に吊り下げ体を取り付けた携帯ストラップであることを特徴とする請求項４または５に記載の包装容器。
【請求項７】
前記ガイド手段は、前記商品の向きを一定方向に規制することを特徴とする請求項１から５のいずれかに記載の包装用容器。
【発明の詳細な説明】
【技術分野】
【０００１】
本発明は、容器本体内に商品を揺動自在に吊り下げ、陳列された商品の揺動を外部から見えるようにした包装用の容器の技術に関する。
【背景技術】
【０００２】
近年、商品の陳列方法として、商品を透明な容器本体内に収容した包装容器を陳列棚に設けた水平の引掛け棒に引掛ける方法が採用されている。このような包装容器は、商品の外形形状に合わせた凹部を形成した容器本体を有し、該容器本体内の凹部に商品を嵌め込み、容器本体の背面側に台紙を接着した所謂ブリスタ容器が用いられる（特許文献１）。
【０００３】
ブリスタ容器は、内包する商品を容器本体の凹部内にガタなく嵌め込むため、商品の輸送時等におけるガタつきを防止し、商品の陳列時においては商品の形状や色等を確認できるという利便性を備えている。
また、携帯ストラップのような商品の陳列方法としては、台紙に取り付けた商品をＯＰＰ（二軸延伸ポリプロピレン）の袋の中に入れて販売するという陳列方法が多く用いられている。
【先行技術文献】
【特許文献】
【０００４】
【特許文献１】特開２０１０−２６５０１８号公報
【発明の概要】
【発明が解決しようとする課題】
【０００５】
しかしながら、ブリスタ容器は、予め商品を購入しようとする買い物客にとっては便利ではあるが、単に陳列した商品の前を通るだけの買い物客に対しては強い印象を与えることがなく、購買意欲をそそるという観点に乏しい。
【０００６】
同様に、上記した携帯ストラップのような商品の陳列方法についても、需要者の購買意欲をそそるという観点に乏しい。
【０００７】
本発明の目的は、陳列した商品に対して強い印象を与えることができ、また携帯ストラップのような商品でも吊り下げ包装できる包装用容器および包装容器を提供しようとするものである。
【課題を解決するための手段】
【０００８】
本発明の課題を解決する包装用容器の構成は、容器本体と、前記容器本体内に収容する商品を揺動自在に吊り下げるための吊り下げ部と、前記容器本体の正面から見て左右方向に前記商品を揺動案内するガイド手段と、を有し、少なくとも前記容器本体の正面から容器本体内に収容する前記商品を透視可能とする。
【０００９】
上記した構成において、前記容器本体内に配置した板部材の上部に前記吊り下げ部を設けることができる。
【００１０】
上記したいずれかの構成において、前記容器本体の上部に、容器本体を吊り下げるための外フックを設けることができる。
【００１１】
本発明の課題を解決する包装容器の構成は、上記いずれかの構成の包装用容器と、前記包装用容器の吊り下げ部を介して吊り下げられる商品とを有することを特徴とする。
【００１２】
上記したいずれかの包装容器の構成において、前記ガイド手段は、前記吊り下げ体に取り付けることができる。
【００１３】
上記したいずれかの包装容器の構成において、前記商品は、吊り下げ手段であるストラップ本体に吊り下げ体を取り付けた携帯ストラップとすることができる。
【００１４】
上記したいずれかの包装容器の構成において、前記ガイド手段、前記商品の向きを一定方向に規制することができる。
【発明の効果】
【００１５】
本発明によれば、携帯ストラップなどの商品を容器本体内で吊り下げ状態に保持でき、しかも陳列状態で商品の向きを一定方向に規制しながら、商品を左右に揺動させることができるので、購買者に強い印象を与えることができる。
【図面の簡単な説明】
【００１６】
【図１】本発明による包装用容器の実施形態を示す正面図。
【図２】（ａ）は図１の側面図、（ｂ）は図２（ａ）のＡ部の拡大図を示す。
【発明を実施するための形態】
【００１７】
以下、本発明を図面に示す実施形態に基づいて詳細に説明する。
【００１８】
図１は本発明による包装用容器の実施形態を示す正面図、図２（ａ）は図１の側面図、図２（ｂ）は図２（ａ）のＡ部の拡大図を示す。
【００１９】
図１および図２において、包装容器１は、透明樹脂性の容器本体２と、容器本体２の背面側の壁面２ａに接して容器本体２内に配置した化粧板３と、容器本体２内に吊り下げ状態に配置される商品である携帯ストラップ４とを有する。携帯ストラップ４は、ストラップ本体５に例えば口紅、香水入れ等の吊り下げ体６を連結した構成としている。
【００２０】
また、吊り下げ体６の前後方向の移動を規制し、左右方向の揺動を案内するガイド手段としてのガイド板７とを有する。
【００２１】
容器本体２は、折り曲げ可能な透明樹脂製の薄板により形成され、正面側の壁面２ｂと背面側の壁面２ａを縦長の矩形状とし、左右の両側面の側壁面２ｃ、２ｄには、中割折りの折れ線２ｅ、２ｆが形成され、両側壁面２ｃ、２ｅが容器本体２の内側に向けて入り込むように折り畳まれる。両側壁面２ｃ、２ｅを折り畳んだ状態で、正面側の壁面２ｂと背面側の壁面２ａとは、二等辺三角形の対向する斜面をなす。また、容器本体２の正面側の壁面２ｂの上部には差し込み片２ｇが形成され、背面側の壁面２ａの上端には容器吊り下げ用の外フック８が一体に形成されている。
【００２２】
容器本体２は、両側壁面２ｃ、２ｅを折り畳み、正面側の壁面２ｂと背面側の壁面２ａとの先端を突き合わせることで組み立てられ、容器本体２内に側面略二等辺三角形の商品収容空間が形成され、差し込み片２ｇを背面側の壁面２ａに沿って差し込むことで容器本体２の上端が閉じられる。
【００２３】
化粧板３は、内面側の上端部に商品吊り下げ用の吊り下げ部をなす吊り下げ部である内フック３ａが形成されている。内フック３ａは、容器本体２が組み立てられた状態において、側面略二等辺三角形の頂点を結ぶ垂線上に位置する。
【００２４】
商品である携帯ストラップ４の吊り下げ体６は、上部にストラップ通し孔６ａが形成され、輪状に形成したストラップ本体５の下端部を吊り金具５ａ等を介してストラップ通し孔６ａに接続される。またストラップ本体５の上端が内フック３ａに掛けられる。
【００２５】
ストラップ本体５は、内フック３ａに掛けられた状態において、吊り下げ体６が宙吊り状態となる長さに設定され、吊り下げ体６を揺動自在としている。
【００２６】
本実施形態において、吊り下げ体６の揺動方向を左右方向のみとするために、吊り下げ体６の下部に透明樹脂製の薄板からなるガイド板７を取り外し可能に嵌合し、吊り下げ体６の前後方向の移動を規制しつつ、左右方向の移動を許容する。
【００２７】
側壁面２eに揺動する吊り下げ体６に取り付けられたガイド板７が当たり、吊り下げ体６の揺動が規制される。
【００２８】
また、容器本体２の下部には、脚部２ｉが４隅に形成され、包装容器１を台等の上に載置できるようにもしている。勿論、外フック８を商品陳列棚から水平に延びる引掛け棒に係合して包装容器１を吊り下げ状態に陳列することができる。
【００２９】
包装容器１を吊り下げ陳列すると、包装容器１に例えば風等が当たると、包装容器１が揺動し易くなり、収容する吊り下げ体６が左右に揺動し、消費者が注目することで購買意欲を喚起することができる。
【００３０】
化粧板３は、ボール紙等により構成され、商品である携帯ストラップ４の背景をなすと共に、背面側に商品の説明等が印刷されている。本実施形態において、ストラップ本体５を引っ掛ける内フック３ａを化粧板３の上部に形成しているが、容器本体２の背面側の壁面２ａの上部にストラップ本体５を引っ掛ける内フックを形成してもよい。さらにはストラップ本体５を介して吊り下げ体６を容器本体２内の空間に吊り下げできればどのような構成に内フックを形成してもよい。
【００３１】
本発明は上記した実施形態に限定されるものではなく、容器本体２を円筒等の筒形状、円錐形状、ピラミッド形状、直方体状等の種々の形状を例示できる。また、容器本体２、収容する商品を少なくとも正面から透視できれば良い。さらに、吊り下げ体６の揺動方向を正面から見て左右方向に揺動案内するガイド手段としてのガイド板７を吊り下げ体６に取り外し可能に装着しているが、前記ガイド部を容器本体側に設け、左右方向に沿って形成した溝内に吊り下げ体６を遊嵌する構成であってもよい。
【００３２】
また、本実施形態では、吊り下げ体６を吊り下げる吊り下げ手段として紐や糸などのストラップ本体５を輪状とし、例えば携帯ストラップ４として使用できるようにしているが、これに限定されるものではなく、紐、糸、チェーン等の吊り下げ手段を用いることができる。
【符号の説明】
【００３３】
１  包装容器
２  容器本体
２ａ  背面側の壁面      ２ｂ  正面側の壁面      ２ｃ、２ｄ  側壁面
２ｅ、２ｆ  折れ線      ２ｇ  差し込み片      ２ｈ  先端      ２ｉ  脚部
３  化粧板
３ａ  内フック
４  携帯ストラップ（商品）
５  ストラップ本体
５ａ  吊り金具
６  吊り下げ体
６ａ  ストラップ通し孔
７  ガイド板
８  外フック
【図１】
2013193762.tif 000003
【図２】
2013193762.tif 000004